(57)【特許請求の範囲】
【請求項１】
建物本体に隣接して設けられ、各々に光透過性を有する屋根部及び壁部によって囲まれた閉空間であって、屋外空間の環境に応じて内部環境が前記建物本体の屋内空間とは異なる環境となるように構成された半屋外空間と、
前記屋内空間を空調対象として空調を行う空調装置と、
前記建物本体に設けられ、前記半屋外空間及び前記屋内空間を連通する開状態と連通しない閉状態とに切替可能な第１開閉手段と、
少なくとも前記屋内空間及び前記半屋外空間の各々の環境情報を取得する情報取得手段と、
前記情報取得手段により取得された環境情報に基づいて前記第１開閉手段の開閉を制御する制御手段と
を備え、
前記屋内空間として、前記空調装置から給気が行われる第１空間部と、この第１空間部に連通され同第１空間部の空気が流れ込む第２空間部とを有し、
前記第２空間部は、仕切り壁を挟んで前記半屋外空間に隣接して設けられ、
前記第１開閉手段は、前記仕切り壁に形成された開口部に設けられ同開口部を開閉させる通気用開閉手段を有してなり、
前記通気用開閉手段が開状態となっている場合には、前記半屋外空間内の空気が前記開口部を介して前記第２空間部に取り込まれるようになっており、
前記空調装置は、還気口から取り込んだ前記第２空間部内の空気を加熱又は冷却して空調空気を生成可能であることを特徴とする建物の空調システム。
【発明の詳細な説明】
【技術分野】
【０００１】
本発明は、建物の空調システムに関する。
【背景技術】
【０００２】
住宅等の建物においては、エアコン等の空調システムを採用して建物本体内の温度調整等を行う快適さの向上が図れている。空調システムは、外気や建物本体内の空気を取り込むとともに、当該取り込んだ空気を加熱又は冷却することで空調空気を生成する（例えば特許文献１参照）。
【先行技術文献】
【特許文献】
【０００３】
【特許文献１】特開２００１−５６１３２号公報
【発明の概要】
【発明が解決しようとする課題】
【０００４】
このような空調システムにおいては空調空気を生成する際に、電気エネルギが必要となり、この電気エネルギの消費を抑え空調効率を向上することを目的として様々な工夫がなされている。例えば熱交換部の性能向上を図ったり、建物の構造を高気密高断熱としたりすることで空調効率の向上が期待できる。しかしながら、空調効率を改善する上では空調システムの仕組みそのものに未だ改善の余地がある。
【０００５】
本発明は、上記例示した事情等に鑑みてなされたものであり、空調効率を好適に向上することができる建物の空調システムの提供を目的とするものである。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．建物本体（建物本体２０）に隣接して設けられ、屋外空間（屋外空間ＯＳ）の環境に応じて内部環境が前記建物本体の屋内空間（屋内空間ＩＳ）とは異なる環境となるように構成された半屋外空間（サンルーム内空間６０ａ）と、
前記屋内空間を空調対象として空調を行う空調装置（空調装置４０）と、
前記建物本体に設けられ、前記半屋外空間及び前記屋内空間を連通する開状態と連通しない閉状態とに切替可能な第１開閉手段（通気ガラリ３５，３７，３８）と、
少なくとも前記屋内空間及び前記半屋外空間の各々の環境情報を取得する情報取得手段（センサ８３〜８６等）と、
前記情報取得手段により取得された環境情報に基づいて前記第１開閉手段の開閉を制御する制御手段（空調制御装置７０）と
を備えていることを特徴とする建物の空調システム。
【０００８】
手段１によれば、屋外空間の環境に応じて建物本体の屋内空間とは環境が異なるように（例えば温度差が生じるように）構成された半屋外空間と同屋内空間との間で、当該屋内空間及び半屋外空間の各々の環境情報に基づいて空気の流れを生じさせ、当該空気の流れによって屋内空間の環境を変化させることが可能となる。つまり、半屋外空間を利用することで自然エネルギを空調に好適に用いることができる。これにより、空調装置を用いた空調の効率を高めることができる。
【０００９】
なお、第１開閉手段については、例えば建物本体の屋内空間と半屋外空間とを仕切る仕切り壁（外壁部２１）に形成された開口部に設けられ、閉状態においては当該開口部を塞ぐことで半屋外空間及び屋内空間を非連通とし、開状態においては同開口部を開放することで半屋外空間及び前記屋内空間を連通させる構成とすればよい。
【００１０】
手段２．前記半屋外空間は、各々に光透過性を有する屋根部（屋根部６３）及び壁部（周壁部６２）によって囲まれた閉空間であり、
前記情報取得手段は、前記半屋外空間に対する日射情報及び当該半屋外空間における温度情報の少なくとも何れかを前記半屋外空間の環境情報として取得するものであり、
前記制御手段は、前記取得した前記日射情報及び前記温度情報の少なくとも何れかに基づいて前記第１開閉手段の開閉を制御することを特徴とする手段１に記載の建物の空調システム。
【００１１】
手段２によれば、半屋外空間が光透過性を有する屋根部及び壁部によって囲まれた閉空間となっているため、太陽光等の自然エネルギによって半屋外空間における空気が暖められたり当該暖められた空気を半屋内空間に蓄えたりすることができる。これにより半屋外空間の環境に屋内空間や屋外空間における環境との差違を生じさせることができる。そして、日射情報や温度情報に基づいて第１開閉手段を制御すれば、屋内空間の環境を加味して開閉手段を開けるべきか等を好適に判断することができる。半屋外空間と建物本体の屋内空間との間で空気の流れを生じさせることにより、手段１に示した空調効率の向上を好適に実現できる。
【００１２】
手段３．前記半屋外空間は、当該半屋外空間の底部（土間６１）に対して太陽光が照射されるように構成されており、
前記壁部の上部及び前記屋根部の少なくとも何れかに設けられ、前記半屋外空間の上部及び前記屋外空間を連通する開状態と連通しない閉状態とに切替可能な第２開閉手段（蓋体６６）と、
前記底部の温度上昇により前記半屋外空間に上昇気流が発生する状況であるか否かを、前記情報取得手段によって取得された情報に基づいて判定する判定手段（空調制御装置７０）と
を備え、
前記制御手段は、前記判定手段によって前記上昇気流が発生する状況であると判定された場合に、前記第１開閉手段及び前記第２開閉手段を開状態とすることを特徴とする手段２に記載の建物の空調システム。
【００１３】
手段３によれば、床部に対して太陽光が照射されることにより、床部の温度が上昇して床部付近に存在する空気が暖められる。このようにして暖められた空気は半屋外空間の上部へ上昇する（上昇気流が発生する）。かかる状況下にて、第１開閉手段及び第２開閉手段を開状態とすることにより、半屋外空間にて暖められた空気が半屋外空間の上部から屋外空間へと排出され、これによって屋内空間に存在する空気が半屋外空間側へ吸い出されることとなる。そして、当該吸い出された空気は上記上昇気流に合わせて上昇し、屋外空間へと排出されることとなる。かかる構成によれば、屋内空間の空気が強制的に排出されるような空気の流れを生じさせることができ、屋内空間の環境を好適に変化させることが可能となる。
【００１４】
なお、第１開閉手段については、第２開閉手段よりも下側（好ましくは半屋外空間の底部付近）に配置することが好ましい。
【００１５】
手段４．前記半屋外空間の底部を土間部として形成し、その土間部に対して水を散布する散布手段（散水装置６８）を備えていることを特徴とする手段３に記載の建物の空調システム。
【００１６】
手段４によれば、土間部に対して散布された水が蒸発する際に気化熱が生じ、この気化熱によって暖められた空気が半屋外空間内を上昇する。このようにして半屋外空間における上昇気流の発生を促進し、手段３に示した環境変化の促進に貢献することにより、自然エネルギを利用した空調効率の向上に好適に貢献することができる。
【００１７】
特に、半屋外空間においては土間部を有する構成となっているため、屋内空間と違って水の散布による問題が生じにくい。つまり、半屋外空間を利用することで水の散布による不都合の発生を回避可能である。また、半屋外空間を閉空間とし更に同空間（特に土間）への太陽光の照射を許容することで温室効果による水の蒸発が促進される。これにより、水の散布→気化のサイクルが短縮され、空調効率の更なる向上が期待できる。
【００１８】
手段５．前記空調装置は、還気口から取り込んだ空気を加熱又は冷却して空調空気を生成可能であり、
前記還気口から前記半屋外空間の空気を取り込むことを特徴とする手段１乃至手段４のいずれか１つに記載の建物の空調システム。
【００１９】
半屋外空間は室内空間に対して高温又は低温とすることができる空間であり、半屋外空間の空気を用いて空調空気を生成する構成とすれば、太陽光等の自然エネルギによって空調空気の温度を空調空気の生成に有利となるように嵩上げ等しておくことができ、暖房及び冷房を行う際の効率向上等を好適に実現できる。例えば、冬場等の外気温が低くなっている場合には、半屋外空間の暖かい空気を用いて暖房用の空調空気を生成することで、空調効率の向上や空調にかかる負荷の低減を実現することができる。
【００２０】
手段６．前記屋内空間として、前記空調装置から給気が行われる第１空間部（居室空間３１ａ，３２ａ）と、この第１空間部に連通され同第１空間部の空気が流れ込む第２空間部（廊下空間３３ａ）とを有し、
前記第２空間部は、仕切り壁（外壁部２１）を挟んで前記半屋外空間に隣接して設けられ、
前記第１開閉手段は、前記仕切り壁に形成された開口部に設けられ同開口部を開閉させる通気用開閉手段（通気ガラリ３７，３８）を有してなり、
前記通気用開閉手段が開状態となっている場合には、前記半屋外空間内の空気が前記開口部を介して前記第２空間部に取り込まれるようになっており、
前記空調装置は、前記第２空間部内の空気を前記還気口から取り込むものであることを特徴とする手段５に記載の建物の空調システム。
【００２１】
手段６によれば、第１空間部へ排出された空調空気は、第２空間部を通過して再び空調空気生成手段に戻ることとなる。これにより第１空間部及び第２空間部での空調を１の空調空気生成手段によって実現することができる。
【００２２】
ここで、第１空間部→第２空間部の経路を移動した空調空気は、第１空間部への排出直後と比較してその温度が変化し、その変化量が大きくなることで空調効率が低下したり空調にかかる負荷が大きくなったりする。この点、本手段においては半屋外空間にて暖められた又は冷やされた空気を第２空間部に取り込む構成とすることで、第２空間部における空調機能の向上を図り、更には還気の温度の嵩上げ等により空調効率の向上や空調にかかる負荷の低減に貢献することが可能となっている。
【００２３】
手段７．前記通気用開閉手段は、
前記仕切り壁において前記半屋外空間の上部と対峙する部分に設けられた上部開閉手段（通気ガラリ３７）と、
前記仕切り壁において前記半屋外空間の下部と対峙する部分に設けられた下部開閉手段（通気ガラリ３８）と
を有し、
前記制御手段は、前記屋内空間及び前記半屋外空間の各々の環境情報に応じて前記上部開閉手段及び前記下部開閉手段のうち何れかを選択して開状態とすることを特徴とする手段６に記載の建物の空調システム。
【００２４】
手段７に示すように半屋外空間上部の空気の流れ及び下部の空気の流れを選択する構成とすれば、上部開閉手段を開状態として半屋外空間における比較的暖かい空気を第２空間部に流入させたり、下部開閉手段を開状態とした半屋外空間における比較的冷たい空気を第２空間部に流入させたりすることができる。これにより、空調効率の向上に貢献することができる。
【００２５】
手段８．前記情報取得手段は、
前記半屋外空間の温度を検出する半屋外用温度検出手段（サンルーム用温度センサ８３）と、
前記屋外空間の温度を検出する屋外用温度検出手段（屋外用温度センサ８１）と
を有し、
前記制御手段は、前記半屋外用温度検出手段及び前記屋外用温度検出手段による検出結果に基づいて、前記屋外空間及び前記半屋外空間の空気の何れかを前記空調装置に前記還気口から取り込ませる取込空気切替手段を有していることを特徴とする手段５乃至手段７の何れか１つに記載の建物の空調システム。
【００２６】
手段８によれば、半屋外空間及び屋外空間の温度の検出結果に基づいて屋外空間の空気及び半屋外空間の空気のどちらを取込対象とするかを切り替えることにより、空調効率の向上に貢献することができる。
【００２７】
手段９．前記半屋外空間の底部を土間部として形成し、
前記半屋外空間は、前記土間部（土間６１）に対して太陽光が照射されるように構成されており、
前記空調装置は、還気口から取り込んだ空気を加熱又は冷却して空調空気を生成可能であり、
前記空調装置による冷房時に、前記情報取得手段によって取得された環境情報に応じて前記土間部に対して水を散布する機能を有し、
前記制御手段は、前記空調装置による冷房時に、前記情報取得手段によって取得された環境情報に応じて前記半屋外空間の前記土間部付近からの空気を前記空調装置に前記還気口から取り込ませる手段を有していることを特徴とする手段２乃至手段８のいずれか１つに記載の建物の空調システム。
【００２８】
手段９によれば、土間部に対して散布された水が蒸発する際に気化熱が生じ、土間部の温度が低下することとなる。この際、気化熱によって暖められた空気は半屋外空間の上部へと上昇し、半屋外空間の下部（詳しくは土間部付近）に存在する空気は温度が下がった土間部によって冷却される。このように、予め冷やされた空気を冷却して空調空気を生成する構成とすれば、空調空気の生成効率を向上することができる。これにより、冷房に要する電力の消費量の低減や空調にかかる負荷の低減に貢献できる。
【００２９】
特に、手段２に示したように半屋外空間が閉空間となっているため、土間部付近で冷やされた空気が屋外空間等へ逃げることが抑制される。これにより、半屋外空間にて冷やされた空気を空調空気の生成に効率よく利用することができる。
【００３０】
手段１０．前記空調装置は、還気口から取り込んだ空気を加熱又は冷却して空調空気を生成可能であり、
前記制御手段は、前記空調装置による暖房時に、前記情報取得手段によって取得された環境情報に応じて前記半屋外空間の前記屋根部付近からの空気を当該空調装置に前記還気口から取り込ませる手段を有していることを特徴とする手段２乃至手段９のいずれか１つに記載の建物の空調システム。
【００３１】
手段２に示したように半屋外空間を太陽光が照射される閉空間とした場合、太陽光等の自然エネルギによって半屋外空間内の空気を暖めることができる（温室効果）。暖めらた空気は、半屋外空間の上部に溜ることとなる。このように予め暖められた空気、より詳しくは半屋外空間にて相対的に暖かい空気を加熱して空調空気を生成する構成とすれば、空調空気の生成効率を向上することができる。これにより、暖房に要する電力の消費量の低減や空調にかかる負荷の低減に貢献できる。
【図面の簡単な説明】
【００３２】
【図１】建物の間取りを示す平面外略図。
【図２】建物の構成を概略的に示す縦断面図（図１のＡ−Ａ線部分断面図）。
【図３】（ａ）換気の様子を示す概略図、（ｂ）特定居室での冷房の様子を示す概略図。
【図４】（ｃ）特定居室における暖房の様子を示す概略図、（ｄ）全館空調の様子を示す概略図。
【図５】電気的構成を示すブロック図。
【図６】換気制御処理を示すフローチャート。
【図７】特定居室用空調制御処理を示すフローチャート。
【図８】全館空調制御処理を示すフローチャート。
【図９】（ａ）サンルームにかかる構成の変形例を示す概略図、（ｂ）空調設備の変形例を示す概略図。
【発明を実施するための形態】
【００３３】
以下に、本発明を具体化した一実施の形態について図面を参照しつつ説明する。本実施の形態では、建物に設けられた空調設備に具体化されている。
【００３４】
最初に、その建物の構成を図１及び図２に基づいて説明する。図１は建物の間取りを示す平面外略図、図２は建物の構成を概略的に示す縦断面図（図１のＡ−Ａ線部分断面図）である。
【００３５】
図１に示すように、建物１０は、居室空間が設けられた建物本体２０を備えている。建物本体２０は外壁部２１〜２３等を有してなり、それら外壁部２１〜２３等によって建物１０の屋内外が区画されている。外壁部２１〜２３には断熱材が内蔵され、建物本体２０の断熱機能の向上が図られている。
【００３６】
建物本体２０の内部空間（屋内空間ＩＳ）には、複数の居室３１，３２と、それら居室３１，３２の間に位置する連絡通路としての廊下３３とが設けられている。より詳しくは、相対向する外壁部２１，２２を繋ぐようにして一対の仕切壁部２４が設けられており、これら仕切壁部２４によって屋内空間ＩＳに居室空間３１ａ，３２ａ及び廊下空間３３ａが区画されている。
【００３７】
各仕切壁部２４にはドア２６が設けられており、これらドア２６を開放することで廊下３３を通じて居室３１，３２間の移動が可能となる。図２に示すように、ドア２６の下部にはアンダーカット２７が設けられている。このようにアンダーカット２７を設けることで、ドア２６の下端部と建物本体２０の床面２５との間に通気口２８が形成されている。これら通気口２８によって、廊下３３と居室３１，３２との間での通気性が担保されている。
【００３８】
なお、居室３１，３２と廊下３３との間での通気が担保されるのであれば、その具体的構成は任意であり、例えばドア２６にガラリ等の通気手段を設けることも可能である。また、ドア２６ではなく仕切壁部２４に通気口２８に相当する構成を配することも可能である。
【００３９】
建物１０は建物本体２０（詳しくは外壁部２１）に対して隣接して設けられたサンルーム６０を備えている。サンルーム６０は、コンクリート等によって形成された土間６１を有している。土間６１は建物本体２０の床面２５よりも低位に位置しており、サンルーム６０内に水等が撒かれた場合に、当該水が土間６１を伝って建物本体２０の居室３１，３２等へ流入することを回避している。
【００４０】
サンルーム６０は土間６１から起立する周壁部６２と屋根部６３とを有してなり、それら周壁部６２、屋根部６３、土間６１及び建物本体２０の外壁部２１によって囲まれた空間がサンルーム内空間（半屋内空間又は半屋外空間）６０ａとなっている。サンルーム内空間６０ａは閉空間となるように構成されており、周壁部６２及び屋根部６３をガラス等の透明材料によって形成することで、太陽光がサンルーム内空間６０ａへ照射される構成となっている。サンルーム内空間６０ａ内の空気等が太陽光によって暖められることで、サンルーム内空間６０ａと建物本体２０の屋内空間ＩＳ及び屋外空間ＯＳとの間に温度差が生じることとなる。言い換えれば、サンルーム内空間６０ａは、屋内空間ＩＳ及び屋外空間ＯＳに対して環境が異なるように構成された空間となるように構成されている。なお、本実施の形態に示す屋外空間ＯＳは、建物１０によって区画されていない空間、すなわち屋内空間ＩＳ及びサンルーム内空間６０ａを除いた空間を示している。
【００４１】
図２に示すように、屋根部６３には、屋外空間ＯＳとサンルーム内空間６０ａとを連通させる連通部としての屋根開口６５と、この屋根開口６５を塞ぐ閉状態及び開放する開状態に切替可能な蓋体６６とが設けられている。屋根開口６５を開放することで、サンルーム内空間６０ａにて暖められた空気を屋外空間ＯＳへ排出することができる。かかる排出機能に着目すれば、屋根開口６５を「排出口」又は「換気口」と称することも可能である。
【００４２】
また、屋根部６３には、蓋体６６を閉状態及び開状態に切り替えるための駆動部（図示略）が設けられている。駆動部は、後述する空調制御装置に対して電気的に接続されており、当該空調制御装置から出力される駆動信号に基づいて蓋体６６を閉状態又は開状態に切り替える。因みに、本実施の形態においては、屋根部６３に開口６５及び蓋体６６を配設したが、これに限定されるものではなく、周壁部６２の上部に開口及び蓋体に相当する構成を配設することも可能である。
【００４３】
再び図１を参照して、サンルーム６０と建物本体２０との関係について補足説明する。
【００４４】
サンルーム６０は、その高さが建物本体２０の天井部とほぼ同じ高さとなるように構成されている。このようにある程度の高さを確保することにより、サンルーム６０の上部に存在する空気と下部に存在する空気に温度差を生じさせることが可能となっている。具体的には、サンルーム６０内に存在する空気のうち相対的に暖かいものは屋根部６３側に滞留し、相対的に冷たいものは土間６１側に滞留する。
【００４５】
また、サンルーム６０は、建物本体２０において居室３１，３２が並設されている方向と同じ方向に延びており、サンルーム内空間６０ａが建物本体２０の外壁部２１を隔てて居室空間３１ａ，３２ａ及び廊下空間３３ａと対峙している。
【００４６】
外壁部２１において居室空間３１ａ，３２ａを区画している部分、詳しくは床面２５寄りとなる部分には、開状態と閉状態とに切替可能な可動式の居室用通気ガラリ３５が設けられている。より詳しくは、外壁部２１には居室空間３１ａ，３２ａとサンルーム内空間６０ａとを連通する開口部が形成されており、これら開口部を覆うようにして居室用通気ガラリ３５が配設されている。これら居室用通気ガラリ３５が開状態となることで、居室用通気ガラリ３５の開放部分と通じてサンルーム内空間６０ａ及び居室空間３１ａ，３２ａの間での通気が許容され、閉状態となっている場合には当該通気が遮断されることとなる。
【００４７】
サンルーム６０とは反対側に位置する外壁部２２において居室空間３１ａ，３２ａを区画している部分にも居室用通気ガラリ３６が配設されており、これら居室用通気ガラリ３６を開状態とすることで居室用通気ガラリ３６の開放部分を通じて居室空間３１ａ，３２ａと屋外空間ＯＳとの間での通気が許容されることとなる。
【００４８】
また、外壁部２１において廊下３３を構成している部分には、開状態と閉状態とに切替可能な廊下用通気ガラリ３７，３８が設けられている。より詳しくは、外壁部２１には廊下空間３３ａとサンルーム内空間６０ａとを連通する開口部が形成されており、これら開口部を覆うようにして廊下用通気ガラリ３７，３８が配設されている。廊下用通気ガラリが開状態となることで、当該廊下用通気ガラリの開放部分を通じてサンルーム内空間６０ａと廊下空間３３ａとの間での通気が許容されることとなる。
【００４９】
廊下用通気ガラリ３７，３８は上下に離して配設されている。詳しくは、廊下用通気ガラリ３７，３８のうち一方はサンルーム６０の屋根部６３寄りとなる位置に配されており、他方はサンルーム６０の土間６１寄りとなる位置に配されている。これは、サンルーム６０内の空気のうち相対的に温度が高いもの又は相対的に温度が低いものを狙って廊下空間３３ａ側へ取り込み可能とするための工夫である。
【００５０】
外壁部２１，２２には、各通気ガラリ３５〜３８を開状態及び閉状態に切り替えるための駆動部（図示略）が設けられている。この駆動部は、上述した空調制御装置に対して電気的に接続されており、当該空調制御装置から出力される駆動信号に基づいて開状態及び閉状態への切り替えを行う。
【００５１】
ここで、サンルーム６０については、ユーザ等が自由に出入できるようにその出入口には施錠装置等の防犯手段が設けられておらず、サンルーム６０に配設された蓋体６６についても同様に開状態への切り替えを規制する施錠機構等の規制手段が設けられていない。一方、外壁部２１，２２には、通気ガラリ３５〜３８の開状態への切り替えを規制する規制手段（詳しくは施錠機構）が設けられている。これにより、サンルーム６０を通じた屋内への侵入は外壁部２１等によって規制され、建物１０全体での防犯機能は担保されている。
【００５２】
図２に示すように、サンルーム内空間６０ａには、サンルーム内空間６０ａに水を霧状にしたミストを噴射する散水装置６８が設けられている。散水装置６８は、空調制御装置に対して電気的に接続されており、この空調制御装置からの駆動信号に基づいて散水を行う構成となっている。散水装置６８は、土間６１に沿うようにして配置されており、上方に撒かれた水が自重によって土間６１に落下することで、土間６１が湿ることとなる。なお、散水装置６８から噴射される水を土間６１に向けて噴射する構成とすることも可能である。
【００５３】
サンルーム６０においては、屋外空間ＯＳと比べて暖かくなりやすいため、土間６１の蒸発が促進される。そして、水が蒸発する際に土間６１から熱を奪うことにより、土間６１が冷却されることとなる。そして、上述した屋根開口６５を開放して、暖かく湿った空気を屋外空間ＯＳへ排出することで、サンルーム６０が冷却されることとなる。つまり、サンルーム６０においては、散水装置６８を採用することで、空気を冷やす機能が付与されている。つまり、太陽光等の自然エネルギを利用して、サンルーム内空間６０ａに存在する空気の温度と屋外空間ＯＳに存在する空気の温度（以下、単に外気温と称する）との間に高低差を生じさせることが可能となっている。
【００５４】
次に、建物本体２０にて空調を行うための構成を、図１及び図２に基づいて説明する。なお、本実施の形態における空調とは、冷暖／暖房／換気手段による室温調節や加湿／除湿手段による湿度調節を意味する。
【００５５】
図１に示すように、建物１０に設けられた空調設備は、エアコン等の空調装置４０、建物１０の屋外に配置された室外機４１、空調装置４０及び室外機４１を繋ぐ配管４２、空調装置４０に空調用の空気を取り込む取込ダクト４３〜４７、空調空気を居室３１，３２等へ供給する供給ダクト４８，４９、屋外へ空気を排出する排気ダクト（図示略）、更にはそれら空調装置４０等を制御する空調制御装置を備えている。
【００５６】
空調装置４０は、少なくとも冷房や暖房等の各機能を有する室内機であり、廊下３３（詳しくは廊下３３の一部を区画した機械室３４）に配設されている。建物１０は高気密・高断熱住宅となるように構成されており空調負担が比較的小さくなっていることから、本実施の形態では廊下３３に設けられた１の空調装置４０によって建物１０における全館の空調を賄うことが可能となっている。
【００５７】
なお、廊下３３に設けられた機械室３４を仕切る壁部には、廊下空間３３ａと機械室３４とに連通する連通口が形成されている。空調装置４０においてその連通口を向いている部分には吸込口４０ａが設けられており、廊下空間３３ａに存在する空気を連通口→吸込口４０ａを通じて空調用の空気（加熱／冷却対象の空気）として取り込むことが可能となっている。
【００５８】
居室３１には取込ダクト４３に設けられた吸込口４３ａと供給ダクト４８に設けられた供給口４８ａが配されており、居室３２についても取込ダクト４４に設けられた吸込口４４ａと供給ダクト４９に設けられた供給口４９ａが配されている。これにより、本実施の形態における空調装置４０については、全館空調のみならず、各居室３１，３２を個別に空調対象とすることが可能となっている。
【００５９】
取込ダクト４５，４６は、居室３１，３２ではなくサンルーム６０に延びており、それら取込ダクト４５，４６の吸込口４４５ａ，４６ａはサンルーム６０内に配設されている。これにより、空調装置４０は、サンルーム６０内の空気を空調空気として取り込むことが可能となっている。
【００６０】
より具体的には、図２に示すように、一方の吸込口４５ａがサンルーム６０の屋根部６３寄りに配置され、他方の吸込口４６ａがサンルーム６０の土間６１寄りに配置されている。既に説明したように、サンルーム６０内で暖められた空気は屋根部６３側へ上昇することで、相対的に暖かい空気が屋根部６３寄りに滞留しやすい。つまり、上側の吸込口４５ａを通じてこの暖かい空気を取り込むことができる。一方、相対的に冷たい空気は土間６１寄りに滞留しやすいため、下側の吸込口４６ａを通じてこの冷たい空気を取り込むことができる。
【００６１】
また、取込ダクト４７は屋外へと延びており、取込ダクト４７の吸込口４７ａは屋外空間ＯＳに配設されている。これにより、空調装置４０は、屋外の空気を空調空気として取り込むことが可能となっている。
【００６２】
ここで、図３及び図４を参照して、建物１０における空調の様子について説明する。本実施の形態における空調設備においては、特定の居室空間を対象とする個別空調と、屋内空間全体を対象とする全館空調とが可能となっている。これら２つの空調態様のうち個別空調に関しては、居室３１を対象とした場合について例示する。図３（ａ）はサンルーム６０を利用した換気の様子を示す概略図、図３（ｂ）はサンルーム６０を利用した居室３１の冷房の様子を示す概略図、図４（ｃ）はサンルーム６０を利用した居室３１の暖房の様子を示す概略図、図４（ｄ）はサンルーム６０を利用した全館空調の様子を示す概略図である。なお、これら各図においては、空気の流れを矢印によって表示しており、特にサンルーム６０から建物本体２０側へ取り込まれる空気については「ＯＡ」を用いて区別している。
【００６３】
本実施の形態における空調装置においては、冷房を行う場合又はユーザによって自動換気の指示があった場合に、屋内空間ＩＳ（詳しくは居室空間３１ａ，３２ａ）の自動換気を行うことを特徴の１つとしている。そこで先ず、図３（ａ）を参照して、自動換気の様子について説明する。
【００６４】
建物１０において自動換気を行う場合には、図３（ａ１）に示すようにサンルーム６０の散水装置６８が動作して予め設定された量の水がミスト状となるようにしてサンルーム６０内にて散布される。散布された水は自重で落下して土間６１等に付着する。サンルーム６０においては、屋根開口６５を閉じてサンルーム内空間６０ａを閉状態としておくことで屋外空間ＯＳよりも高温となっており、更には太陽光によって土間６１が暖められているため、散布された水の蒸発が促進される。
【００６５】
土間６１に付着した水が蒸発する際に土間６１の熱が奪われることとなり、土間６１の熱を奪うことで高温多湿となった空気はサンルーム６０内を上昇する。これにより、サンルーム６０上部と下部とでの温度差が大きくなる。更には、サンルーム内空間６０ａ内にて暖められた空気が膨張することでサンルーム６０内の気圧が高くなる。
【００６６】
その後、図３（ａ２）に示すようにサンルーム６０の屋根開口６５を開放することで、サンルーム６０内の空気が屋根開口６５を通じて屋外に排出される。これに乗じて居室用通気ガラリ３５，３６を開放することで、屋外空間ＯＳ→居室用通気ガラリ３６の開放部分→居室３１，３２→居室用通気ガラリ３５の開放部分→サンルーム６０→屋根開口６５→屋外空間ＯＳという風の流れが発生し、居室空間３１ａ，３２ａの換気が促されることとなる。
【００６７】
特に、屋外を流れる風が弱い場合には、建物の窓等を開放しただけでは効率よく換気を行うことが難しいと想定されるが、上述したように、強制的な空気の流れを発生させることで、屋外を流れる風に依存することなく、換気効率を向上することができる。
【００６８】
また、空調装置４０を用いて冷房を行う場合には、上記換気によって居室空間３１ａに溜った暖かい空気を排出して、屋外空間ＯＳの空気を取り込むことで（換気を行うことで）高くなっている室内温度を下げることにより、空調装置４０にかかる初期負荷を抑えるとともに空調効率の向上に貢献することができる。
【００６９】
次に、図３（ｂ）を参照して、空調装置４０による特定居室の冷房の様子を説明する。なお、本説明では、空調の対象（特定居室）が居室３１の場合について例示するが、居室３２が空調の対象となっている場合であっても空調態様は同様である。
【００７０】
居室３１の冷房を行う場合には、居室３１の空気を取込ダクト４３の吸込口４３ａを通じて取り込むとともに、当該取り込んだ空気を冷却して空調空気を生成した後、供給ダクト４８の供給口４８ａを通じて同空調空気を居室３１へ供給する。これにより、居室３１の温度を下げることができる。
【００７１】
既に説明したように本実施の形態に示す建物１０（詳しくは建物本体２０）としては高気密・高断熱住宅が採用されており、空調効率の向上が図られている。このようなタイプの住宅においては特に、内気循環による運転を続けていると、例えば居室３１の酸素濃度が低下するといった不都合が生じ得る。そこで、本実施の形態における空調装置４０では適宜屋内空間ＩＳ外から空調用の空気を取り入れることで（換気を行うことで）上記不都合の発生を抑えている。
【００７２】
しかしながら、単に屋外から空調用の空気を取り込んだ場合、当該空気の温度が高くなることで空調に生じる負荷が大きくなったり空調効率が低下したりし得る。そこで、本実施の形態においては、そのような不都合の発生を抑える工夫がなされている。具体的には、冷房運転が開始された場合には、図３（ｂ１）に示すように、サンルーム６０の冷却が実行される。具体的には、上記自動換気を実行する場合と同様に、サンルーム６０にミスト状の水が散布され、当該散布された水の気化を利用して土間６１等を冷却する。これにより、サンルーム６０下部に存在する空気（土間６１付近に滞留している空気）は、屋外空間ＯＳよりも低温となるように冷却される。
【００７３】
空調装置４０にて外気を導入して空調空気を生成する場合には、図３（ｂ２）に示すように、サンルーム６０と空調装置４０とを繋ぐ取込ダクト４６の吸込口４６ａ、詳しくは土間６１に隣接する位置に配された吸込口４６ａから冷却された空気が取り込まれる。これにより、空調空気の設定温度と取り込んだ空気の温度との差を小さくすることができ、空調装置４０にかかる負担の低減と空調効率の向上とに貢献することができる。
【００７４】
次に、図４（ｃ）を参照して、空調装置４０による特定居室の暖房の様子を説明する。なお、本説明では、空調の対象（特定居室）が居室３１の場合について例示するが、居室３２が空調の対象となっている場合であっても空調態様は同様である。
【００７５】
居室３１の暖房を行う場合には、居室３１の空気を取込ダクト４３の吸込口４３ａを通じて取り込むとともに、当該取り込んだ空気を加熱して空調空気を生成した後、供給ダクト４８の供給口４８ａを通じて同空調空気を居室３１へ供給する。これにより、居室３１の温度を上げることができる。
【００７６】
暖房運転が開始された場合には、図４（ｃ１）に示すように、サンルーム内空間６０ａが閉状態で維持される。これにより、サンルーム６０内の空気が暖められることとなる。
【００７７】
空調装置４０にて屋内空間ＩＳ外の空気を導入して空調空気を生成する場合には、図４（ｃ２）に示すように、サンルーム６０と空調装置４０とを繋ぐ取込ダクト４５の吸込口４５ａ、詳しくは屋根部６３に隣接する位置に配された吸込口４５ａから暖められた空気が取り込まれる。これにより、空調空気の設定温度と取り込んだ空気の温度との差を小さくすることができ、空調装置４０にかかる負担の低減と、空調効率の向上とに貢献することができる。なお、居室３１における酸素濃度の担保についても、上記冷房時と同様の効果が期待できる。
【００７８】
本実施の形態の空調装置４０においては、屋内空間ＩＳ全体を対象とする全館空調を実行可能となっている。以下、図４（ｄ）を参照して全館空調の様子について説明する。
【００７９】
なお、本実施の形態における空調システムにおいては、上記特定居室用の空調機能と、全館空調機能とが付与されているが、同空調システムがこれら両機能を有する必要は必ずしもなく、両空調機能のうち一方のみを有する構成とすることも可能である。例えば、全館空調機能のみを有する構成とした場合には、上記特定居室用の空調機能専用となる構成（例えば取込ダクト４３〜４６等）を省略して空調システムにかかる構成の簡略化を図るとよい。
【００８０】
図４（ｄ１）に示すように、空調装置４０は、吸込口４０ａから廊下３３の空気を還気ＲＡとして取り込んで温度調整を行うことにより空調空気を生成する。空調装置４０にて生成された空調空気は、供給ダクト４８，４９を通じて各居室３１，３２に供給され、供給口４８ａ，４９ａを通じてそれら居室３１，３２に給気ＳＡとして吹き出される。これにより、空調装置４０の暖房運転時には居室３１，３２に空調空気として暖気が供給され、その暖気によって居室３１，３２が暖められる。一方、空調装置４０の冷房運転時には、居室３１，３２に冷気が供給され、その冷気によって居室３１，３２が冷やされる。
【００８１】
各居室３１，３２へ供給された空調空気（給気ＳＡ）は通気口２８を通じて廊下空間３３ａへ流入する。これにより、廊下３３の温度調整がなされる。そして、廊下３３に流入した空調空気は還気ＲＡとして、空調装置４０により取り込まれることとなる。言い換えれば、廊下３３側を負圧、居室３１，３２側を正圧とすることで、居室３１，３２→廊下３３への空気の流れを作り出し、廊下３３の空調を実現している。
【００８２】
以上詳述した全館空調においても、屋外空間ＯＳの空気を適宜取り込む工夫がなされている。具体的には、全館空調により冷房を行っている場合には、サンルーム６０にて図３（ｂ１）を用いて説明したのと同様の冷却処理を実行する。これにより、サンルーム６０の下部に存在する空気の温度を下げることができる。そして、このように冷却した空気を、下側の廊下用通気ガラリ３８を開放することで廊下３３側へ流入させる。これにより、廊下３３の温度を下げたり、廊下３３の温度上昇を抑えつつ換気を行うことができたりする。
【００８３】
一方、全館空調により暖房を行っている場合には、サンルーム内空間６０ａを閉状態に維持することで、サンルーム６０の上部に暖かい空気が溜ることとなる。そして、このようにして暖められた空気を、上側の廊下用通気ガラリ３７を開放することで廊下３３側へ流入させる。これにより、廊下３３の温度を上げたり、廊下３３の温度低下を抑えつつ換気を行うことができたりする。
【００８４】
なお、サンルーム６０内の空気を廊下３３（屋内）側へ流入させる場合には、空調装置４０にて生成された空調空気の一部や空調装置４０に取り込んだ空気の一部を排気ダクト（図示略）を通じて屋外へ排出するとよい。これにより屋内の気圧を下げて、廊下用通気ガラリ３７，３８を通じたサンルーム６０内の空気の引き込むことができる。
【００８５】
次に、図５のブロック図を参照して本実施の形態の空調設備における電気的構成について説明する。
【００８６】
空調設備は、空調等に関する各種制御を実行する空調制御装置７０を有している。空調制御装置７０には、各種演算を行うＭＰＵや入出力ポートが設けられている。
【００８７】
空調制御装置７０の入力側には、外気温を検出する屋外用温度センサ８１と、建物１０周辺を流れる屋外風の風速を検出する風速センサ８２と、サンルーム６０の温度を検出するサンルーム用温度センサ８３と、サンルーム６０の湿度を検出するサンルーム用湿度センサ８４と、屋内（詳しくは空調対象となる各居室等）の温度を検出する屋内用温度センサ８５と、屋内（詳しくは空調対象となる各居室）の湿度を検出する屋内用湿度センサ８６と、ユーザによって空調にかかる操作が行われる空調操作部８７とが接続されている。空調制御装置７０においては、これら各種構成８１〜８７から入力された情報に基づいて空調等に関する各種制御を実行する。
【００８８】
屋外用温度センサ８１については外壁部２２において取込ダクト４７の吸込口４７ａに隣接する位置に配設されているが、屋外用温度センサ８１の詳細な配置については任意である。サンルーム用温度センサ８３及びサンルーム用湿度センサ８４については、サンルーム６０の高さ方向における中間部分（詳しくは散水装置６８からの水が直接かからない位置）に配置しているが、それら各センサ８３，８４の詳細な配置についても任意である。また、屋内用温度センサ８５は各居室３１,３２及び廊下３３にそれぞれ配設され、屋内用湿度センサ８６は各居室３１，３２にそれぞれ配設されている。
【００８９】
空調制御装置７０の出力側には、サンルーム６０の蓋体６６を駆動させる蓋体用駆動部９１と、散水装置６８を駆動させる散水装置用駆動部９２と、建物本体２０の居室用通気ガラリ３５，３６を駆動させる居室用通気ガラリ駆動部９３，９４と、廊下用通気ガラリ３７，３８を駆動させる廊下用通気ガラリ駆動部９５，９６とが接続されており、空調制御装置７０からそれら各種構成９１〜９６に対して駆動信号が出力されることで、蓋体６６、各通気ガラリ３５〜３８が動作することとなる。
【００９０】
また、空調制御装置７０の出力側には、空調装置４０が接続されている。空調装置４０については特に、空調を行う際に使用するダクト等を切り替える切替手段を有しており、この切替手段は空調制御装置７０からの信号に基づいて動作する構成となっている。
【００９１】
（換気制御処理）
次に、図６のフローチャートを参照して、空調制御装置７０にて定期的（例えば１ｓｅｃ毎）に実行される換気制御処理について説明する。
【００９２】
換気制御処理においては先ず、ステップＳ１０１にて空調操作部８７の自動換気スイッチがオンになっているか否かを判定する。ステップＳ１０１にて否定判定をした場合には、そのまま換気制御処理を終了する。
【００９３】
一方、ステップＳ１０１にて肯定判定をした場合には、ステップＳ１０２に進み、自動換気を実行している最中であるか否かを判定する。ステップＳ１０２にて否定判定をした場合には、ステップＳ１０３に進む。
【００９４】
ステップＳ１０３では、建物１０周辺を流れている風の速度が予め設定された値（規定値）以上であるか否かを判定する。具体的には、風速センサ８２からの検出情報に基づいて判定を行う。ステップＳ１０３にて否定判定をした場合、すなわち上記居室用通気ガラリ３５，３６等を利用した自然換気を行うのに十分な風速が確保されていないと判定した場合には、ステップＳ１０４に進む。
【００９５】
ステップＳ１０４では散水用の設定処理を行う。具体的には、サンルーム用温度センサ８３からの検出情報と、サンルーム用湿度センサ８４からの検出情報とに基づいて、散水量を決定する。具体的には、温度が高く且つ湿度が低い場合には、温度が低く且つ湿度が高い場合と比較して散水量が多く且つ散水期間が長くなるように設定する。なお、本実施の形態における散水装置６８においては、１ｓｅｃあたりの散水量が一定となるように設定されており、散水量は散水期間とインターバル期間とによって定まる構成となっている。
【００９６】
ステップＳ１０４の処理を実行した後、又はステップＳ１０３にて肯定判定をした場合（すなわち居室用通気ガラリ３５，３６等を利用した換気を行うのに十分な風速が担保されていると判定した場合）には、ステップＳ１０５に進む。ステップＳ１０５では、屋根開口開放用の設定処理を行う。具体的には、サンルーム用温度センサ８３からの検出情報と、サンルーム用湿度センサ８４からの検出情報とに基づいて、屋根開口６５の開放タイミング及び開放期間を設定する。
【００９７】
ステップＳ１０５の処理を実行した後は、ステップＳ１０６にて居室ガラリ開放用の設定処理を実行して本換気制御処理を終了する。ステップＳ１０６の処理では、サンルーム用温度センサ８３からの検出情報と、サンルーム用湿度センサ８４からの検出情報とに基づいて、居室用通気ガラリ３５，３６の開放タイミング及び開放期間を設定する。
【００９８】
散水を行った場合には、温度及び湿度条件によって気化に要する期間が異なる。そこで、予め実験等で得られた効率のよく気化を促すことができる散水量（散水期間及びインターバル期間）、蓋体の開放タイミング及び開放期間、居室用通気ガラリ３５，３６の開放タイミング及び開放期間を情報群として空調制御装置７０のＲＯＭ等に記憶しておき、これら情報群を参照することで、ステップＳ１０４〜Ｓ１０６の各処理を行う。
【００９９】
再びステップＳ１０２の説明に戻り、ステップＳ１０２にて肯定判定をした場合、すなわち自動換気を実行している最中であると判定した場合には、ステップＳ１０７に進む。なお、ステップＳ１０６の処理を完了することで自動換気が実行中となり、以降は自動換気が終了するまでステップＳ１０２の判定処理では肯定判定を繰り返すこととなる。
【０１００】
ステップＳ１０７では、自動換気の終了タイミングであるか否かを判定する。具体的には、自動換気を開始してから予め設定された換気期間が経過したか否かに基づいて本判定を行う。ステップＳ１０７にて否定判定をした場合、すなわち自動換気の終了タイミングでないと判定した場合には、ステップＳ１０８に進む。
【０１０１】
ステップＳ１０８では、散水装置６８による散水を開始するタイミングであるか否かを判定する。ステップＳ１０８にて肯定判定をした場合には、ステップＳ１０９に進み散水実行処理を行う。散水実行処理では、散水装置用駆動部９２に対して駆動信号の出力を開始する。これにより、ステップＳ１０４の処理にて設定された期間に亘って散水が継続されることとなる。
【０１０２】
ステップＳ１０９の処理を実行した後、又はステップＳ１０８にて否定判定をした場合には、ステップＳ１１０に進む。ステップＳ１１０では、サンルーム６０の屋根開口６５を開放するタイミングであるか否かを判定する。具体的には、ステップＳ１０５の処理にて設定された開放タイミングとなったか否かを判定する。なお、ステップＳ１１０にて肯定判定をするタイミングは、サンルーム６０の土間６１に付着した水が気化することで高温多湿となった空気が屋根部６３沿いに溜った後のタイミングとなるように設定されている。
【０１０３】
ステップＳ１１０にて肯定判定をした場合にはステップＳ１１１に進み、屋根開口６５の開放処理を実行する。具体的には、蓋体用駆動部９１に対して駆動信号の出力を開始し、予め設定された期間に亘って駆動信号の出力を継続することで、屋根開口６５を開放状態で維持する。これにより、上述の如く屋根部６３によって上昇が抑えられていた高温多湿の空気が屋外へと排出され、サンルーム６０内に上方に向う空気の流れが発生することとなる。
【０１０４】
ステップＳ１１１の処理を実行した後、又はステップＳ１１０にて否定判定をした場合には、ステップＳ１１２に進む。ステップＳ１１２では、居室用通気ガラリ３５，３６を開放するタイミングであるか否かを判定する。具体的には、ステップＳ１０６にて設定された開放タイミングに基づいて、当該判定を行う。
【０１０５】
ステップＳ１１２にて否定判定をした場合には、そのまま本換気制御処理を終了する。一方、ステップＳ１１２にて肯定判定をした場合には、ステップＳ１１３に進み、居室用通気ガラリ３５，３６の開放処理を実行したのち、本換気制御処理を終了する。
【０１０６】
ステップＳ１１３の処理においては、通気ガラリ駆動部９３，９４に対して駆動信号の出力を開始し、当該駆動信号の出力を予め設定された期間に亘って継続する。これにより、居室用通気ガラリ３５，３６が開放状態に維持され、居室空間３１ａ，３２ａとサンルーム内空間６０ａ及び屋外空間ＯＳとが連通し、サンルーム６０内の空気の屋根開口６５を通じた排出に乗じて、居室空間３１ａ，３２ａ内の空気がサンルーム６０側へ吸い出されることとなる。この結果、居室３１，３２内に、外気が導入され、居室空間３１ａ，３２ａの換気が実現される（図３（ａ２）に示した空気の流れを参照）。
【０１０７】
ステップＳ１０７の説明に戻り、ステップＳ１０７にて肯定判定をした場合、すなわち自動換気の終了タイミングであると判定した場合には、ステップＳ１１４に進み、自動換気終了処理を実行した後、本換気制御処理を終了する。ステップＳ１１４の処理では、換気開始前の状態への復帰を行う。具体的には、散水装置６８を非稼動状態とするとともに、居室用通気ガラリ３５，３６や蓋体６６を閉状態とする。
【０１０８】
なお、以上詳述した換気制御処理においては、自動換気スイッチがＯＮとなっていることを条件としてステップＳ１０１〜Ｓ１１４の各処理が実行される構成とした。ここで、自動換気スイッチについては、必ずしもユーザによって手動で切り替えられるだけでなく、ユーザの操作によって冷房運転を開始する際に屋内の温度が規定温度を超えている場合にも自動的にＯＮに切り替わる。すなわち、冷房運転を実行する前の事前準備として換気制御処理が実行される場合がある。
【０１０９】
本実施の形態における空調設備においては、上記換気制御の他に特定の居室に限って空調を行う特定居室用空調制御と、建物本体２０全体について空調を行う全館空調制御とが設定されており、これら各空調制御処理についても、空調制御装置７０にて定期的（例えば１ｓｅｃ毎）に実行されている。以下、先ず特定居室用空調制御処理について説明し、その後、全館空調制御処理について説明する。
【０１１０】
（特定居室用空調制御処理）
図７のフローチャートに示すように、特定居室用空調制御処理においては、先ずステップＳ２０１にて空調操作部８７の特定居室用空調スイッチがＯＮになっているか否かを判定する。特定居室用空調スイッチについては、例えば居室３１に対応するものと居室３２に対応するものとが存在しているが、これらスイッチがＯＮになっていない場合には、そのまま本特定居室用空調制御処理を終了する。
【０１１１】
一方、何れかの特定居室用空調スイッチがＯＮになっている場合には、ステップＳ２０１にて肯定判定をし、対象となっている居室に関して以下の空調制御処理を実行する。
【０１１２】
具体的には、先ずステップＳ２０２にて特定居室にかかる空調を実行中であるか否かを判定する。ステップＳ２０２にて否定判定をした場合には、ステップＳ２０３にて空調開始処理を実行した後、本特定居室用空調制御処理を終了する。ステップＳ２０３の処理においては、空調装置４０に対して駆動信号を出力し、空調装置４０の運転を開始する（詳しくは暖房又は冷房を開始する）。また、空調開始時には空調装置４０に設けられたダクト等の切替手段に対して駆動信号を出力し、使用する取込ダクト及び供給ダクトの切り替えを行う。これら各ダクトについては、特定居室（空調対象）として選択された居室に付随するものが選択される。例えば、居室３１が特定居室として選択されている場合には、居室３１に設けられた取込ダクト４３及び供給ダクト４８が選択される。
【０１１３】
ステップＳ２０３の処理を実行することで、以降は当該特定居室用空調制御処理が終了するまでステップＳ２０２にて肯定判定を繰り返すこととなる。
【０１１４】
ステップＳ２０２の説明に戻り、ステップＳ２０２にて肯定判定をした場合には、ステップＳ２０４に進む。ステップＳ２０４では、屋外の空気及びサンルーム６０内の空気の何れかを給気として空調が実行されている又は当該空調の準備中であるか否かを判定する。ステップＳ２０４にて肯定判定をした場合には、そのまま本特定居室用空調制御処理を終了する。一方、ステップＳ２０４にて否定判定をした場合には、ステップＳ２０５に進む。
【０１１５】
本実施の形態における空調設備においては、温度設定に加えて湿度設定が可能となっており、ステップＳ２０５では特定居室の湿度が設定範囲よりも低くなっているか否かを判定する。具体的には、屋内用湿度センサ８６からの検出情報のうち、特定居室に対応するものが上記設定範囲内となっているか否かを判定する。
【０１１６】
ステップＳ２０５にて肯定判定をした場合にはステップＳ２０６に進み、サンルーム内空間６０ａの空気の加湿処理を実行する。具体的には、散水装置６８を駆動してサンルーム６０にミストを散布する。これにより、サンルーム６０内の湿度を強制的に引き上げる。
【０１１７】
その後、ステップＳ２０７にて取込対象の切り替え処理を実行した後、本特定居室用空調制御処理を終了する。ステップＳ２０７の処理では、使用している取込ダクトを室内に繋がっているものからサンルーム６０に繋がっているもの（上側の取込ダクト４５又は下側の取込ダクト４６）に切り替える処理を実行する。かかる処理を行った場合には、ミストの散布から予め設定された期間が経過した後に取込ダクトの切替を実行する。このようにしてダクトの切替処理を行った場合には、予め設定された期間に亘ってその状態が維持され、同期間の経過後に元の状態に復帰するように再度ダクトの切り替えを行う。
【０１１８】
一方、ステップＳ２０５にて否定判定をした場合には、ステップＳ２０８に進む。なお、ステップＳ２０５にて否定判定をした場合には、特定居室の湿度が設定範囲を超えている可能性があるが、この場合には、空調装置４０にて空調空気を生成する際に除湿が実行され、空調空気の湿度が上記設定範囲内となるように調整される。この除湿にかかる構成及び各種制御についての詳細な説明は省略する。
【０１１９】
ステップＳ２０８では、内気循環による空調の連続運転時間が上限に達したか否かを判定する。つまり、取込ダクトを屋外空間ＯＳ又はサンルーム内空間６０ａに対応するものに切り替えることなく空調を続けた時間が上限に達したか否かを判定する。ステップＳ２０８にて否定判定をした場合には、そのまま本特定居室用空調制御処理を終了する。
【０１２０】
一方、ステップＳ２０８にて肯定判定をした場合には、ステップＳ２０９〜Ｓ２１６の外気等導入用処理を実行する。具体的には、先ずステップＳ２０９にて暖房運転中であるか否かを判定する。ステップＳ２０９にて肯定判定をした場合には、ステップＳ２１０に進む。ステップＳ２１０では、サンルーム６０の温度が外気温よりも高いか否かを判定する。具体的には、屋外用温度センサ８１からの検出情報とサンルーム用温度センサ８３からの検出情報とを比較することでステップＳ２１０の判定を行う。
【０１２１】
サンルーム６０については暖房運転を開始する際には閉状態（蓋体６６を閉じた状態）となり、少なくとも当該暖房運転が終了するまで閉状態にて維持される。このため、基本的にはサンルーム６０の温度が外気温を下回ることはなく、多くの場合ステップＳ２１０にて肯定判定がなされる。
【０１２２】
ステップＳ２１０にて肯定判定をした場合にはステップＳ２１１に進み、取込対象をサンルーム６０内の空気に切り替える処理を実行する。具体的には、空調装置４０の上記切替手段に対して駆動信号を出力することで、使用する取込ダクトを屋内に繋がっているものからサンルーム６０に繋がっているもの（上側の取込ダクト４５）に切り替える。
【０１２３】
ステップＳ２１０にて否定判定をした場合には、ステップＳ２１２に進み、取込対象を外気に切り替える処理を実行する。具体的には、空調装置４０の上記切替手段に対して駆動信号を出力することで、使用する取込ダクトを屋内に繋がっているものから屋外に繋がっているもの（取込ダクト４７）に切り替える。
【０１２４】
なお、ステップＳ２１１，Ｓ２１２のダクトの切替処理を行った場合には、予め設定された期間に亘ってその状態が維持され、同期間の経過後に元の状態（内気循環）に復帰するように再度ダクトの切り替えを行う。
【０１２５】
ステップＳ２０９の説明に戻り、ステップＳ２０９にて否定判定をした場合、すなわち冷房運転中であると判定した場合には、ステップＳ２１３に進む。ステップＳ２１３では、ステップＳ２１０と同様にサンルーム６０の温度が外気温よりも高いか否かを判定する。具体的には、屋外用温度センサ８１からの検出情報とサンルーム用温度センサ８３からの検出情報とを比較することでステップＳ２１０の判定を行う。
【０１２６】
サンルーム６０については冷房運転を開始する際には、併せて上記冷却処理が実行される。このため、冷却初期を除く期間ではサンルーム６０の温度が外気温よりも低く維持されやすくなっており、多くの場合ステップＳ２１０にて否定判定がなされる。
【０１２７】
ステップＳ２１３にて肯定判定をした場合には、ステップＳ２１４に進み、取込対象を外気に切り替える処理を実行する。具体的には、空調装置４０の上記切替手段に対して駆動信号を出力することで、使用する取込ダクトを屋内に繋がっているものから屋外に繋がっているもの（取込ダクト４７）に切り替える。
【０１２８】
一方、ステップＳ２１３にて否定判定をした場合にはステップＳ２１５に進み、取込対象をサンルーム６０内の空気に切り替える処理を実行する。具体的には、空調装置４０の上記切替手段に対して駆動信号を出力することで、使用する取込ダクトを屋内に繋がっているものからサンルーム６０に繋がっているもの（下側の取込ダクト４６）に切り替える。
【０１２９】
なお、ステップＳ２１４，Ｓ２１５のダクトの切替処理を行った場合には、予め設定された期間に亘ってその状態が維持され、同期間の経過後に元の状態（内気循環）に復帰するように再度ダクトの切り替えを行う。
【０１３０】
ステップＳ２１１，Ｓ２１２，Ｓ２１４，Ｓ２１５の各処理を行った後は、本特定居室用空調制御処理を終了する。
【０１３１】
（全館空調制御処理）
次に、図８のフローチャートを参照して、全館空調制御処理について説明する。
【０１３２】
全館空調制御処理においては、先ずステップＳ３０１にて空調操作部８７の全館空調スイッチがＯＮになっているか否かを判定する。当該全館空調スイッチがＯＮになっていない場合には、そのまま本全館空調制御処理を終了する。
【０１３３】
一方、全館空調スイッチがＯＮになっている場合には、ステップＳ３０１にて肯定判定をし、ステップＳ３０２に進む。
【０１３４】
ステップＳ３０２では、全館空調を実行中であるか否かを判定する。ステップＳ３０２にて否定判定をした場合には、ステップＳ３０３にて全館空調開始処理を実行した後、本全館空調制御処理を終了する。ステップＳ３０３の処理においては、空調装置４０に対して駆動信号を出力し、空調装置４０の運転を開始する（詳しくは暖房又は冷房を開始する）。
【０１３５】
空調開始時には使用する取込手段（取込ダクト等）と供給ダクトとを選択する。具体的には、取込手段として空調装置４０の吸込口４０ａを選択するとともに供給ダクト４８，４９を選択する。そして、空調装置４０に設けられた上記切替手段に駆動信号を出力、ダクト等の切り替えを行う。これにより、図４（ｄ１）に示した内気循環による空調が行われる。また、全館空調を行う場合には、定期的に屋外又はサンルーム６０内の空気を導入して内気循環による空調から外気等の導入を伴う空調（換気を伴う空調）に切り替えられる構成となっており、この切り替えのタイミングを決定するためのタイマ設定処理を実行する。
【０１３６】
ステップＳ３０３の処理を実行することで、以降は当該全館空調制御処理が終了するまでステップＳ３０２にて肯定判定を繰り返すこととなる。
【０１３７】
ステップＳ３０２にて肯定判定をした場合、すなわち全館空調を実行中であると判定した場合には、ステップＳ３０４に進む。ステップＳ３０４では、定期的な外気等の導入が実行されている最中であるか否かを判定する。ステップＳ３０４にて肯定判定をした場合には、そのまま本全館空調制御処理を終了する。一方、ステップＳ３０４にて否定判定をした場合には、ステップＳ３０５に進む。
【０１３８】
ステップＳ３０５では、内気循環による連続運転時間が上限に達しているか否かを判定する。ステップＳ３０５にて否定判定をした場合には、ステップＳ３０６に進む。ステップＳ３０６では、当該全館空調が暖房に対応するものであるか否かを判定する。ステップＳ３０６にて肯定判定をした場合にはステップＳ３０７に進み、サンルーム６０の温度が廊下３３の温度以上か否かを判定する。具体的には、屋内用温度センサ８５（詳しくは廊下３３に設けられた温度センサ）からの検出情報とサンルーム用温度センサ８３からの検出情報とを比較することでステップＳ３０７の判定を行う。
【０１３９】
ステップＳ３０７にて肯定判定をした場合には、続くステップＳ３０８にて廊下用換気口の開放処理を実行する。具体的には、廊下用上側ガラリ駆動部９６に対して駆動信号を出力し、上側の廊下用通気ガラリ３８を開状態に切り替える。また、これに合わせて空調装置４０にて取り込んだ空気の一部を屋外に繋がる排気ダクトを介して排出する用の処理を行う。これにより、サンルーム６０の上部に存在する空気（暖かい空気）が廊下用通気ガラリ３８を通じて廊下３３へ引き込まれることとなる。また、既に開状態となっている場合にはその状態のまま維持する。
【０１４０】
一方、ステップＳ３０７にて否定判定をした場合にはステップＳ３０９に進み、廊下用換気口の閉鎖処理を実行する。具体的には、廊下用上側ガラリ駆動部９６に対して駆動信号を出力し、上側の廊下用通気ガラリ３８を閉状態に切り替える。これにより、サンルーム６０の上部に存在する空気が廊下用通気ガラリ３８を通じて廊下３３へ引き込まれることが回避される。なお、既に閉状態となっている場合にはその状態のまま維持する。
【０１４１】
ステップＳ３０６の説明に戻り、ステップＳ３０６にて否定判定をした場合、すなわち当該全館空調が冷房に対応するものであると判定した場合には、ステップＳ３１０に進む。ステップＳ３１０では、ステップＳ３０７と同様にサンルーム６０の温度が廊下３３の温度以上か否かを判定する。
【０１４２】
ステップＳ３１０にて否定判定をした場合には、続くステップＳ３１１にて廊下用換気口の開放処理を実行する。具体的には、廊下用下側ガラリ駆動部９５に対して駆動信号を出力し、下側の廊下用通気ガラリ３８を開状態に切り替える。また、これに合わせて空調装置４０にて取り込んだ空気の一部を屋外に繋がる排気ダクトを介して排出する用の処理を行う。これにより、サンルーム６０の下部に存在する空気（冷たい空気）が廊下用通気ガラリ３８を通じて廊下３３へ引き込まれることとなる。なお、既に開状態となっている場合にはその状態のまま維持する。
【０１４３】
一方、ステップＳ３１０にて否定判定をした場合にはステップＳ３１２に進み、廊下用換気口の閉鎖処理を実行する。具体的には、廊下用下側ガラリ駆動部９５に対して駆動信号を出力し、下側の廊下用通気ガラリ３８を閉状態に切り替える。これにより、サンルーム６０の上部に存在する空気が廊下用通気ガラリ３８を通じて廊下３３へ引き込まれることが回避される。また、既に閉状態となっている場合にはその状態のまま維持する。
【０１４４】
以上のステップＳ３０８，Ｓ３０９，Ｓ３１１，Ｓ３１２の各処理を実行した後は、本全館空調制御処理を終了する。
【０１４５】
再びステップＳ３０５の説明に戻り、ステップＳ３０５にて肯定判定をした場合、すなわち内気循環による連続運転時間が上限に達したと判定した場合には、ステップＳ３１３に進み、サンルーム内空気の定期導入処理を実行した後、本全館空調制御処理を終了する。定期導入処理では、空調装置４０の上記切替手段に対して駆動信号を出力し、廊下用通気ガラリ３７，３８を開状態に切り替える。詳しくは、暖房運転中は上側の廊下用通気ガラリ３７を開状態とし、冷房運転中は下側の廊下用通気ガラリ３８を開状態とする。さらに、空調装置４０にて取り込んだ空気の一部を屋外に繋がる排気ダクトを介して排出する用の処理を行う。この状態は、所定の期間に亘って維持されることとなる。
【０１４６】
以上、詳述した本実施形態によれば、以下の優れた効果を奏する。
【０１４７】
空調設備を利用して冷房又は暖房を行う場合には、サンルーム６０にて自然エネルギを利用して暖められた空気や冷やされた空気を空調用空気として利用することで、空調効率の向上や空調にかかる負荷の低減が期待できる。
【０１４８】
具体的には、サンルーム６０を閉状態としておくことで、サンルーム６０の室温が外気温よりも高くなる。このようにして、事前に暖められた空気を加熱することで空調空気を生成する構成とすることにより、冷たい外気を加熱して空調空気を生成する場合よりも、空調効率の向上等が期待できる。
【０１４９】
また、冷房を行う場合には、散水→気化によりサンルーム６０の土間６１の温度を下げることで、土間６１付近に存在する空気の温度を、外気温よりも低くすることができる。このようにして、ある程度冷やされた空気を冷却して空調空気を生成する構成とすることにより、暖かい外気を冷却して空調空気を生成する場合よりも、空調効率向上等が期待できる。
【０１５０】
本実施の形態に示したサンルーム６０は、その外周部分が光透過性を有する透明材料によって形成されており、太陽光のサンルーム内空間６０ａ内への照射を妨げない構成となっている。これにより、太陽光のエネルギ源としての利用を促進し、サンルーム６０内の空気を暖めたり、サンルーム６０内に散布された水を気化させたりする際の効率を高めることが可能となっている。更に、サンルーム６０を閉状態とすることにより、サンルーム６０内の空気が外部に漏れることを抑制することができ、上記効率の更なる向上に貢献している。
【０１５１】
サンルーム６０に蓄えられる空気については有限であるため、サンルーム６０内の空気を暖めるにしても冷やすにしてもそれなりの準備期間を要することとなる。このため、常時サンルーム６０の空気を利用することが必ずしも空調効率の向上に最適なわけではない。この点、本実施の形態においては、空調空気を生成する場合には、屋内の空気とサンルーム６０内の空気とを併用する構成となっている。これにより、サンルーム６０内の空気を効率よく活用することを可能としている。
【０１５２】
特に、高気密・高断熱の住宅においては、屋内空間ＩＳにおける内気循環によって空調を行うことで、空調効率を好適に高めることができる。しかしながら、内気循環に依存しすぎることは酸素濃度の低下等の空気環境の悪化の要因となり得るため、適度な換気を行うことが好ましい。しかしながら、屋外空間ＯＳの空気（外気）を加熱／冷却することで空調機能を担保しつつ換気を行おうとすれば、空調装置４０に生じる負荷が大きくなる。この点、上述の如くサンルーム６０内の空気を利用することで、屋内空間ＩＳの空気の温度に少しでも近い状態から加熱／冷却可能とすれば、換気に伴う空調負荷の増大を抑制することができる。
【０１５３】
全館空調を行う場合には、給気対象としての居室３１，３２と比べて、廊下３３での空調が弱くなりやすい。これは、空調空気が居室３１，３２→廊下３３へ移動する過程で周辺空気との間で熱交換を行うことに起因する。本実施の形態においては、開状態に切り替えられた廊下用通気ガラリ３７，３８を通じて廊下にサンルーム内空間６０ａの空気を引き込むことにより、廊下３３での空調機能をサポートすることが可能である。すなわち、冬場はサンルーム６０から暖かい空気を廊下３３に引き込むことで、廊下３３を暖めることができ、夏場はサンルーム６０から冷たい空気を廊下３３に引き込むことで、廊下３３を冷やすことができる。
【０１５４】
廊下用通気ガラリ３７，３８については、上下に離して設けられており、暖かい空気と冷たい空気とを区別して取り込むことが可能となっている。これにより、上記引き込みを行う際の暖房／冷房のサポート機能を好適に発揮させることが可能となっている。
【０１５５】
本実施の形態においては、サンルーム６０に設けられた散水装置６８から散布された水を用いてサンルーム６０内の空気を加湿することが可能となっている。このように加湿された空気を加熱／冷却して空調空気を生成することで、屋内の調湿を行うことが可能となっている。
【０１５６】
特に、散水装置６８からの水はミスト状で散布されるため、蒸発（気化）に要する時間を短くすることが可能となっている。これにより、上記調湿を行う際の応答性を向上している。
【０１５７】
サンルーム６０の床面部については土間６１となっており、屋内空間ＩＳと比べて水の散布に起因した問題が生じにくい。更には、土間６１については、太陽光の照射が継続されたとしてもそれに起因した問題が生じにくい。このように、水の散布及び気化を促進する上で効果的な構成として土間６１を活用することで、上述した加湿機能や冷却機能を好適に発揮させることができる。
【０１５８】
土間６１については、面状をなしており、土間６１付近に存在する空気が下方へ逃げることはない。このため、上述した水打ちにより土間６１付近の空気が冷やされた場合であっても、当該冷やされた空気が下方へ移動することを回避でき、空調空気の生成への利用を担保することができる。
【０１５９】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１６０】
（ａ）上記実施の形態では、空調装置４０が特定居室を対象とした個別空調機能と全館空調機能とを有する構成としたが、少なくとも一方の機能を有していれば足り、両機能を必須とするものではない。
【０１６１】
特に、高気密・高断熱でない住宅に対して上記空調設備を適用する場合には、全館空調にかかる機能については省略することも可能である。
【０１６２】
（ｂ）上記実施の形態では、「散布手段」を構成する散水装置６８による水の散布対象を土間６１としたが、散布対象を例えば建物本体２０の外壁部２１、サンルーム６０の周壁部６２、サンルーム６０内に配置される植物用の棚等とすることも可能である。
【０１６３】
また、散水装置６８から排出される水は必ずしもミストである必要はない。但し、空調装置４０による加湿機能等を考慮すれば、即効性の点でミストを散布する構成とすることが好ましい。
【０１６４】
（ｃ）屋外空間ＯＳとサンルーム内空間６０ａとを連通させる連通口を、サンルーム６０における屋根開口６５以外の部位に設けることも可能である。例えば、周壁部６２の下端部に可動式の通気用ガラリを設け、空調制御装置によって当該通気用ガラリを開閉制御する構成とすることも可能である。サンルーム６０にて散水による冷却を実行する際（冷房を行う際）に、高温多湿となった空気を屋根開口６５から排出する場合には、本変形例に示す通気用ガラリを開状態とすることで、外気がサンルーム６０の下部から取り込まれることとなる。これにより、サンルーム６０における換気効率を向上することができる。
【０１６５】
（ｄ）上記実施の形態では、空調設備がユーザの操作に基づいて動作する構成としたが、これに限定されるものではなく、空調制御装置７０が室温等の環境条件に基づいて空調を行う構成とすることも可能である。例えば、居室３１，３２の温度が予め設定された上限温度を超えた場合には、上記換気を独自に行う構成とすることも可能である。これにより、ユーザが帰宅して冷房を行う際により迅速に居室３１，３２の室温を下げることができる。
【０１６６】
このようにユーザの操作に関係なく換気を行う構成においては、仮に室内に人が存在している状況下にて換気が実行された場合、突如として強い空気の流れが発生することで当該人に不快感を与えることが懸念される。そこで、当該変形例を採用する場合には、居室３１，３２に人感センサを配設し、人が存在していると判定した場合には、換気効率が徐々に強くなるように、蓋体６６や通気ガラリ３５，３６の開放量を調整することが好ましい。
【０１６７】
（ｅ）上記実施の形態では、「半屋外空間」としてのサンルーム６０を閉状態に維持可能としたが、必ずしもこれに限定されるものではない。また、サンルーム６０の周壁部６２や屋根部６３を透明としたが、これに限定されるものではない。少なくとも、外気温や室内の温度との半屋外空間の温度とに差を生じさせることができるのであれば、半屋外空間が常に開状態に維持される構成としたり、周壁部等を半透明又は不透明としたりすることも可能である。例えば、「半屋外空間」としてバルコニやロジアを採用することも可能である。
【０１６８】
バルコニやロジアにおいては、周壁部６２相当する構成を有さず、半屋外空間が閉空間ではない場合が多い。しかしながら、このような構成においても、少なくとも屋根部６３に相当する構成を有していることで、暖かい空気を半屋外空間に留めやすい。故に、当該半屋外空間の空気を空調装置に取り込んで暖房用の空調空気を生成する構成とすれば、屋外空間ＯＳの空気を取り込んで暖房用の空調空気を生成する場合と比較して空調効率の向上に貢献できる。
【０１６９】
また、バルコニやロジアにおいては、屋根部６３を有色不透明とすることで、半屋外空間への日射を抑えることができる。日陰となるバルコニ等においては、日向と比べて温度が低くなりやすいため、当該半屋外空間の空気を空調装置に取り込んで冷房用の空調空気を生成する構成とすれば、屋外空間ＯＳの空気を取り込んで冷房用の空調空気を生成する場合と比較して空調効率の向上に貢献できる。
【０１７０】
更には、必ずしも太陽光（太陽エネルギ）を利用して上記温度差を生じさせる必要はなく、例えば地熱等の他の自然エネルギを利用して上記温度差を生じさせる構成とすることも可能である。
【０１７１】
（ｆ）上記実施の形態では、「通気用開閉手段」として可動式の通気用ガラリを採用したが、これに限定されるものではない。少なくとも屋内空間ＩＳとサンルーム内空間６０ａとの通気を許容する状態と許容しない状態に切替可能な構成であればよく、例えば開閉式の窓パネルや、シャッタ等を採用してもよい。
【０１７２】
（ｇ）上記実施の形態に示す空調設備を、２階建ての建物に適用することも可能である。この場合、サンルーム６０内の空気が建物の１階部分だけでなく２階部分に流入する構成とするとよい。このような変更を行う場合には、サンルームを建物の２階部分と重なる位置まで拡張し、建物の２階部分を構成する外壁に、当該２階部分とサンルーム内空間との通気を許容する状態と許容しない状態とに切替可能な開閉手段（例えば通気用ガラリに相当する構成）を配設するとよい。
【０１７３】
また、このようなサンルーム６０の大型化に合わせて、サンルーム内空間６０ａを上下に仕切るとともに空気の移動を遮蔽する遮蔽部を設けてもよい。かかる構成を採用することにより、サンルーム６０内の空気のうち上部に存在する比較的暖かい空気と、下部に存在する比較的冷たい空気とが混ざることを抑制し、サンルーム内の空気を一層好適に利用することができる。
【０１７４】
更には、２階建ての建物においては、サンルームを１階部分に隣接させて配置するのではなく、２階部分に隣接させて配置することも可能である。この場合、例えばバルコニ等にサンルームを構築するとよい。
【０１７５】
（ｈ）上記実施の形態に示すサンルーム６０については出入口用のドアが存在している。このドアを閉位置へ移動させる駆動部を設け、上記空調を実行する場合には、空調制御装置によってこのドアを閉じる構成とすることにより、サンルーム６０を利用した空調を一層好適なものとすることができる。
【０１７６】
（ｉ）サンルーム６０内に可動式の棚を設け、当該棚によって室内への日射を遮る構成とすることも可能である。以下、図９（ａ）の概略図を参照して、具体例について説明する。
【０１７７】
サンルーム６０における上下方向の中間位置、詳しくは外壁部２１に設けられた窓部１００よりも上側には、土間６１と対向するようにして棚１０１が設けられている。周壁部６２は、棚１０１を移動可能に支持する支持レール１０２が設けられており、棚１０１は、外壁部２１に対して近づく側と遠ざかる側とに移動可能となっている。また、サンルーム６０には、棚１０１を駆動させる駆動部（図示略）が設けられており、当該駆動部は空調制御装置７０に対して電気的に接続されている。空調制御装置７０からの駆動信号に基づいて駆動部が動作することで、棚１０１が支持レール１０２に沿って移動することとなる。
【０１７８】
また、サンルーム６０には日射センサ（図示略）が設けられている。日射センサは空調制御装置７０に対して電気的に接続されており、空調制御装置７０ではこの日射センサからの検出情報に基づいて、太陽光の窓部１００に対する入射量（日射量）を把握可能となっている。
【０１７９】
空調制御装置７０では、居室３１の在室状況や室温更には上記日射量に応じて棚１０１を可動させることで、居室内への日射を制え、居室３１の温度上昇を抑制する。これにより、空調装置４０に生じる負荷を低減することができる。
【０１８０】
なお、棚を設けてサンルーム６０内で植物を育てる場合には、ＬＥＤからなる照明を設け、夜間にはこの照明によって植物に光を供給する構成とするとよい。これにより、植物の生育を促進することができる。また、空調制御装置７０又はサンルーム用の他の制御装置によって、サンルームの温度管理や散水装置６８等を用いた給水等の管理を行うことにより、植物の成長を管理することができる。
【０１８１】
（ｊ）上記空調装置４０に代えて又は同空調装置４０と併せて図９（ｂ）に示す冷暖房システムを採用してもよい。具体的には、サンルーム６０の周壁部６２等に内蔵された熱線（図示略）、サンルーム６０内に設けられた蓄熱材１１１、建物本体２０の屋根に設けられた集熱装置１１２、地中内に温度が一定となるようにして埋設された地熱装置１１３等の熱源を設けるとともに、建物本体２０の外壁部２１〜２３や床面２５等に建物本体２０と熱源とを繋ぐ略環状のパイプ１１４を内蔵し、上記熱源の熱から熱を与えられた流体が建物本体２０内を循環することで輻射式の暖房を行う構成を採用してもよい。また、夏場には地熱装置１１３や井戸水とパイプ１１４内の流体との間で熱交換を行うヒートポンプ１１５を利用して、パイプ１１４内の流体を冷却し、この冷却された流体が建物本体２０内を循環させることで輻射式の冷房を行う構成を採用してもよい。なお、井戸水を用いて冷却を行った場合には、その井戸水を最寄の川や池等に排出するとよい。
【符号の説明】
【０１８２】
１０…建物、２０…建物本体、２１〜２３…外壁部、２８…通気口、３１，３２…居室、３１ａ，３２ａ…第１空間部としての居室空間、３３…廊下、３３ａ…第２空間部としての廊下空間、３５〜３８…通気用ガラリ、４０…空調装置、４０ａ…吸込口、４３〜４７…各種取込手段を構成する取込ダクト、４８，４９…供給ダクト、６０…サンルーム、６０ａ…半屋外空間としてのサンルーム内空間、６１…床面部、６２…周壁部、６３…屋根部、６５…屋根開口、６６…蓋体、６８…散布手段を構成する散水装置、７０…制御手段としての空調制御装置、８１…情報取得手段を構成する屋外用温度センサ、８２…風速センサ、８３…情報取得手段を構成するサンルーム用温度センサ、８４…サンルーム用湿度センサ、８５…屋内用温度センサ、８６…屋内用湿度センサ、８７…空調操作部、ＩＳ…屋内空間、ＯＳ…屋外空間。
【図１】
0005715448.tif 000002
【図２】
0005715448.tif 000003
【図３】
0005715448.tif 000004
【図４】
0005715448.tif 000005
【図５】
0005715448.tif 000006
【図６】
0005715448.tif 000007
【図７】
0005715448.tif 000008
【図８】
0005715448.tif 000009
【図９】
0005715448.tif 000010